(57)【要約】【課題】  計器装置の計器ハウジングとアンダーカバーとの組み付け作業性を良好にし、安定した組み付けを行うことができる計器装置を提供することを目的とする。【解決手段】  計器ハウジング１の周面部分および計器ハウジング１の後部をアンダーカバー１２によって覆ってなる計器装置において、アンダーカバー１２の内周面の適所には位置決め用リブ１３を突き出し形成し、この位置決め用リブ１３の配設位置に合わせて計器ハウジング１の外周面部分に位置決め用誘い込み壁部１５を設けてなることを特徴とする計器装置であるため、計器ハウジング１とアンダーカバー１２とを組み付け固定するに際し、計器ハウジング１の外周面部分に設けられた位置決め用誘い込み壁部１５に沿ってアンダーカバー１２に設けた位置決め用リブ１３が案内されながら組み付けられるため、所定の位置に簡単にセットすることができ、組み付け作業性を良好に行うことができる。【選択図】  図３
2007205730.tif 000002
【特許請求の範囲】
【請求項１】
計器類を組み付ける計器ハウジングと、この計器ハウジングの前面開放側を覆う透明なカバープレートと、このカバープレートの周縁部分および前記計器ハウジングの周面部分を覆うバイザーと、前記計器ハウジングの周面部分および計器ハウジングの後部を覆うアンダーカバーと、からなる計器装置において、前記アンダーカバーの内周面の適所には位置決め用リブを突き出し形成し、この位置決め用リブの配設位置に合わせて前記計器ハウジングの外周面部分に位置決め用誘い込み壁部を設けてなることを特徴とする計器装置。
【請求項２】
前記位置決め用誘い込み壁部は、前記位置決め用リブを案内する末広がり状の壁部と位置決め用リブを位置決め保持するためのスリット状の壁部とからなることを特徴とする請求項１に記載の計器装置。
【請求項３】
前記アンダーカバーには、前記位置決め用リブと連続して前記計器ハウジング側を所定の位置にて突き当て配置するための当接部を設けてなることを特徴とする請求項１に記載の計器装置。
【発明の詳細な説明】
【技術分野】
【０００１】
本発明は、たとえば自動車やオートバイなどに搭載される計器類を収納する計器装置に関するものである。
【背景技術】
【０００２】
従来、自動車やオートバイなどに装備される計器装置として、たとえば速度計，回転計，温度計などの計器類は合成樹脂製からなる枠状の計器ハウジングに取付固定されている。この場合、前記計器類などを取付固定した計器ハウジングの前面開放側に前記計器類などの上面側から塵埃などが入らないように合成樹脂材料からなる透視可能なカバープレートによって覆って構成している。また計器ハウジングのカバープレートの周縁部分には、計器ハウジングの周面部分を覆って目隠ししたり、見栄えを良好にするためのバイザーが設けられており、さらに計器ハウジングの周面部分および計器ハウジングの後部を覆うアンダーカバーが設けられている。この場合、計器装置の計器ハウジングとアンダーカバーとの組み付け構造としては、ビスなどの固定部材を介して固定保持している。
【特許文献１】特開平１１−１１５８５６号公報
【発明の開示】
【発明が解決しようとする課題】
【０００３】
ところで、上述した特許文献１などの計器装置においては、計器装置の計器ハウジングとバイザーとアンダーカバー側との組み付け構造としてビスなどの固定部材にて締め付け固定するに際し、特に計器ハウジングと椀状のアンダーカバーとの組み付け位置が揃わなくて組み付け作業に手間がかかるという問題があった。
【０００４】
すなわち計器ハウジングの大きさに対してアンダーカバーの大きさに余裕があるために位置ずれが生じてしまいという問題がある。この点を考慮するものとして、計器ハウジングとアンダーカバーとの間において位置決めピンと位置決め孔をそれぞれ設けて、その位置決め孔に位置決めピンを合わせるようにして所定の位置に組み付け保持するようにした組み付け構造が提案されている。
【０００５】
しかしながら、前述した位置決めピンと位置決め孔とによる組み付け構造においては、計器ハウジングとアンダーカバーとをセットする際に椀状のアンダーカバーによって位置決めピンと位置決め孔とが見えなくなってしまい位置決めピンが相手側である部材に突き当たってしまい、組み付け作業性が良好に行うことができなかったり、場合によっては位置決めピンが折損してしまうことがある。
【０００６】
そこで本発明は、前述の課題に対して対処するため、計器装置の計器ハウジングとアンダーカバーとの組み付け作業性を良好にし、安定した組み付けを行うことができる計器装置を提供することを目的とする。
【課題を解決するための手段】
【０００７】
本発明は、前述した課題を解決するため、請求項１では、計器類を組み付ける計器ハウジングと、この計器ハウジングの前面開放側を覆う透明なカバープレートと、このカバープレートの周縁部分および前記計器ハウジングの周面部分を覆うバイザーと、前記計器ハウジングの周面部分および計器ハウジングの後部を覆うアンダーカバーと、からなる計器装置において、前記アンダーカバーの内周面の適所には位置決め用リブを突き出し形成し、この位置決め用リブの配設位置に合わせて前記計器ハウジングの外周面部分に位置決め用誘い込み壁部を設けてなることを特徴とする計器装置である。
【０００８】
また請求項２では、請求項１に記載の計器装置において、前記位置決め用誘い込み壁部は、前記位置決め用リブを案内する末広がり状の壁部と位置決め用リブを位置決め保持するためのスリット状の壁部とからなることを特徴とするものである。
【０００９】
また請求項３では、請求項１に記載の計器装置において、前記アンダーカバーには、前記位置決め用リブと連続して前記計器ハウジング側を所定の位置にて突き当て配置するための当接部を設けてなることを特徴とするものである。
【発明の効果】
【００１０】
本発明では、計器ハウジングの周面部分および計器ハウジングの後部をアンダーカバーによって覆ってなる計器装置において、アンダーカバーの内周面の適所には位置決め用リブを突き出し形成し、この位置決め用リブの配設位置に合わせて計器ハウジングの外周面部分に位置決め用誘い込み壁部を設けてなることを特徴とする計器装置であるため、計器ハウジングとアンダーカバーとを組み付け固定するに際し、計器ハウジングの外周面部分に設けられた位置決め用誘い込み壁部に沿ってアンダーカバーに設けた位置決め用リブが案内されながら組み付けられるため、所定の位置に簡単にセットすることができ、組み付け作業性を良好に行うことができ、これにより初期の目的を達成することができる。
【発明を実施するための最良の形態】
【００１１】
本発明の請求項１では、計器類を組み付ける計器ハウジングと、この計器ハウジングの前面開放側を覆う透明なカバープレートと、このカバープレートの周縁部分および前記計器ハウジングの周面部分を覆うバイザーと、前記計器ハウジングの周面部分および計器ハウジングの後部を覆うアンダーカバーと、からなる計器装置において、前記アンダーカバーの内周面の適所には位置決め用リブを突き出し形成し、この位置決め用リブの配設位置に合わせて前記計器ハウジングの外周面部分に位置決め用誘い込み壁部を設けてなることを特徴とする計器装置であるため、前記計器ハウジングと前記アンダーカバーとを組み付け固定するに際し、前記計器ハウジングの外周面部分に設けられた位置決め用誘い込み壁部に沿って前記アンダーカバーに設けた位置決め用リブが案内されながら組み付けられるため、所定の位置に簡単にセットすることができ、組み付け作業性を良好に行うことができるものである。
【００１２】
また、請求項１に記載の計器装置において、前記位置決め用誘い込み壁部は、前記位置決め用リブを案内する末広がり状の壁部と位置決め用リブを位置決め保持するためのスリット状の壁部とからなることにより、アンダーカバーの内周面側に設けられた位置決め用リブが計器ハウジングの外周面部分に設けられた末広がり状の壁部に最初に接触しながら案内され、次いでスリット状の壁部の間に位置決め用リブが送り込まれ位置決め保持されるため、所定の位置に簡単にセットでき、組み付け作業性を良好に行うことができるものである。（請求項２）
【００１３】
また、請求項１に記載の計器装置において、前記アンダーカバーには、前記位置決め用リブと連続して前記計器ハウジング側を所定の位置にて突き当て配置するための当接部を設けてなることにより、計器ハウジング側とアンダーカバー側との組み付け時において、計器ハウジングとアンダーカバーとの組み付け位置を所定の位置に良好にセットすることができるという効果がある。（請求項３）
【００１４】
以下、添付図面に基づいて、本発明の計器装置を車輌用の指示計器に適用した実施例として説明する。
【実施例１】
【００１５】
本発明の第１実施例を図１から図５に示す。この種の計器装置として、中央に速度計からなる指示計器と、左側に燃料計や温度計からなる指示計器などが配置され、それぞれが計器ハウジング１に組み付け固定されている。
【００１６】
この場合、図１の左側に位置した燃料計や温度計からなる指示計器にあっては、図２などに示すように、枠状の計器ハウジング１の背後に硬質からなる回路基板２が組み付け固定されるとともに、この回路基板２の背後側に指示計器である計器本体３が組み付け固定されており、この計器本体３に設けられた指針軸４の先端側に、指針軸４を軸芯として回転する指針５が圧入固定されている。この実施例における指針構造としては、透明な合成樹脂たとえばアクリル樹脂にて形成された発光指針５を用いている。
【００１７】
また前記指針５の背後側に位置し計器ハウジング１の前面側には、目盛や数字や記号などからなる指標部が施された表示板６が配設されている。また前記回路基板２上には、枠状の計器ハウジング１内に臨んで前記表示板６の目盛部と数字などを透過照明するための光源（発光ダイオード７）と、前記指針５を発光照明するための指針用光源（発光ダイオード８）とが実装されている。
【００１８】
また、前記表示板６の前面側には表示板６の周りと計器ハウジング１との隙間部分を目隠ししする見返し部材９が配設され、この見返し部材９の前面開放側には前記指示計器類などの上面側から塵埃などが入らないように合成樹脂材料からなる透視可能なカバープレート１０によって覆って構成している。
【００１９】
またカバープレート１０の外郭周縁部分には、計器ハウジング１の周面部分を覆って目隠ししたり、見栄えも良好となるようにバイザー１１が設けられ、そのバイザー１１の後方には、計器ハウジング１、回路基板２および計器本体３などを覆うアンダーカバー１２が設けられている。
【００２０】
また、第１実施例による計器装置における計器ハウジング１とアンダーカバー１２との組み付け構造としては、アンダーカバー１２の内周面の適所には位置決め用リブ１３がアンダーカバー１２の奥行き方向に沿って突き出しされるとともに、この位置決め用リブ１３と連続して計器ハウジング１を所定の位置にて突き当て配置するための当接部１４が設けられており、前記位置決め用リブ１３の配設位置に合わせて計器ハウジング１の外周面部分に位置決め用誘い込み壁部１５が設けられている。
【００２１】
この第１実施例の場合、前記位置決め用誘い込み壁部１５は、前記位置決め用リブ１３を案内する計器ハウジング１の奥行き方向に沿って設けられた末広がり状の壁部１５Ａと位置決め用リブ１３を位置決め保持するための幅寸法からなるスリット状の壁部１５Ｂとから形成されており、組み付け時においてアンダーカバー１２の内周面側に設けられた位置決め用リブ１３が計器ハウジング１の外周面部分に設けられた末広がり状の壁部１５Ａに最初に接触しながら案内され、次いでスリット状の壁部１５Ｂの間に位置決め用リブ１３が送り込まれ位置決め保持されるように形成されている。
【００２２】
そして、計器ハウジング１側とアンダーカバー１２側との組み付け後において、ビスなどの固定部材１６によって廻し締め固定することにより所定の位置に簡単に固定保持することができるように構成されている。
【００２３】
なお、第１実施例にあっては、図３に示すように、カバープレート１０の周縁部分に弾性係止爪１０Ａを一体に設け、この弾性係止爪１０Ａ位置に対応して計器ハウジング１側には係合用突部１Ａを設けて嵌合固定することにより、カバープレート側１０と計器ハウジング１側とを組み付け保持することができるように構成している。また、回路基板２は、計器ハウジング１に設けた弾性係合爪１Ｂと係合固定することができるように形成している。
【００２４】
また、１７は燃料計や温度計からなる指示計器を速度計側に組み付け固定するための固定用ブラケットである。
【００２５】
上記構成からなる第１実施例における計器装置においては、計器装置の計器ハウジング１とアンダーカバー１２側との組み付け構造として、アンダーカバー１２の内周面の適所に位置決め用リブ１３を突き出し形成し、この位置決め用リブ１３の配設位置に合わせて計器ハウジング１の外周面部分に位置決め用誘い込み壁部１５を設けてなることにより、計器ハウジング１とアンダーカバー１２とを組み付け固定するに際し、計器ハウジング１の外周面部分に設けられた位置決め用誘い込み壁部１５に沿ってアンダーカバー１２に設けた位置決め用リブ１３が案内されながら組み付けられるため、所定の位置に簡単にセットすることができ、組み付け作業性を良好に行うことができる。
【００２６】
この際、位置決め用誘い込み壁部１５は、位置決め用リブ１３を案内する末広がり状の壁部１５Ａと位置決め用リブ１３を位置決め保持するためのスリット状の壁部１５Ｂとからなることにより、図４から図５に示すように、アンダーカバー１２の内周面側に設けられた位置決め用リブ１３が計器ハウジング１の外周面部分に設けられた末広がり状の壁部１５Ａに最初に接触しながら案内され、次いで図２に示すように、スリット状の壁部１５Ｂの間に位置決め用リブ１３が送り込まれ位置決め保持されるため、所定の位置に簡単にセットでき、組み付け作業性を良好に行うことができる。
【００２７】
また、アンダーカバー１２には、位置決め用リブ１３と連続して計器ハウジング１側を所定の位置にて突き当て配置するための当接部１４を設けてなることにより、計器ハウジング１とアンダーカバー１２との組み付け時において、計器ハウジング１とアンダーカバー１２との組み付け位置（計器ハウジング１の背後側をアンダーカバー１２によって覆って保護する位置）を所定の位置に良好にセットすることができるという効果がある。
【００２８】
なお本発明は、前述した実施例に限定されるものではなく本発明の要旨の範囲内において種々の変形実施が可能である。たとえば、実施例においては、計器ハウジング１の外周面部分に設けられた位置決め用誘い込み壁部１５として、計器ハウジング１の奥行き方向に沿って設けられた末広がり状の壁部１５Ａと位置決め用リブ１３を位置決め保持するための幅寸法からなるスリット状の壁部１５Ｂとから形成していたが、位置決め用リブ１３が誘い込まれて位置合わせができるように末広がりの壁部１５Ａの傾斜角度を左右非対称に任意に設定してもよいものであり、また位置決め用リブ１３の強度を高めるためにリブの板厚寸法を肉厚に形成しても良いものであり、また、位置決め用リブ１３と位置決め用誘い込み壁部１５の配設位置や個数などは計器装置の形状や大きさなどに合わせて適宜設定すれば良いものである。
【産業上の利用可能性】
【００２９】
また、前述した実施例などにおいて詳述したように、車両用の指示計器を例にして計器装置を説明したが、車両用計器に限らず船舶用計器あるいは農業機械の計器などにおいても適用することが可能である。
【図面の簡単な説明】
【００３０】
【図１】図１は、本発明の第１実施例における計器装置を示す正面図である。
【図２】図２は、図１のＡ−Ａ線箇所を示す計器装置の断面図である。
【図３】図３は、図２の計器装置の要部を示す一部を断面で表した分解斜視図である。
【図４】図４は、図２の組み付け前の状態を示す計器装置の断面図と、位置決め用リブおよび位置決め用誘い込み壁部との位置関係を示す模式図である。
【図５】図５は、図２の組み付け途上の状態を示す計器装置の断面図と、位置決め用リブおよび位置決め用誘い込み壁部との位置関係を示す模式図である。
【符号の説明】
【００３１】
１      計器ハウジング
１Ａ    係合用突部
１Ｂ    弾性係合爪
２      回路基板
３      計器本体
４      指針軸
５      指針
６      表示板
７      光源（発光ダイオード）
８      指針用光源（発光ダイオード）
９      見返し部材
１０      カバープレート
１０Ａ    弾性係止爪
１１      バイザー
１２      アンダーカバー
１３      位置決め用リブ
１４      当接部
１５      位置決め用誘い込み壁部
１５Ａ    末広がり状の壁部
１５Ｂ    スリット状の壁部
１６      固定部材
１７      固定用ブラケット
【図１】
2007205730.tif 000003
【図２】
2007205730.tif 000004
【図３】
2007205730.tif 000005
【図４】
2007205730.tif 000006
【図５】
2007205730.tif 000007